(57)【要約】      （修正有）【課題】シンクの前面における比較的小さい空間を利用した包丁差しであって、扉を前方向に倒した場合に扉の開に連動して、前方に若干外方向に出て露出される包丁載置部に載置される包丁差しの構造において、容易に包丁の向きを変えうるようにした包丁差しを提供する。【解決手段】包丁の取付枠は、収納される包丁の刀身を枠内に遊挿し支持し得るスタンド枠２０と、該スタンド枠２０を枠内の長手方向に移動可能に嵌挿するレール枠３０とよりなり、スタンド枠２０の走行用突起２２をレール枠３０のレール用溝部３３に挿入させることにより、平面から見て左右いずれかに片寄せて位置させ、スタンド枠２０内に包丁Ｋの刀身を、露出部分に包丁Ｋの柄を取り付けるようにした包丁差し１０であって、右利き、左利きに応じてスタンド枠２０の位置を変更することで容易に包丁Ｋの向きが変更できる。【選択図】図５
0003148112.tif 000002
【実用新案登録請求の範囲】
【請求項１】
キッチンのシンク前面における空間を利用した収納庫の取付枠に設けられる包丁差しであって、水平軸のまわりに上側から下側に向けてヒンジにより開閉する扉の開閉に応じて所定の角度で露出する包丁の取付枠内に、包丁がその峰を上側にして略水平になるように収納し得るような包丁差しにおいて、包丁全体を長手方向に収納することができ、かつ包丁の刀身部の大半を収納し得るスタンド枠を、長手方向に移動可能に内部に設置し得るレール枠とよりなり、
該レール枠は、
包丁の全長を収納し得る長さを有する両側板と底板とでなり、上方を開口した横断面略Ｕ字形状で、該両側板には長手方向に直線状のレール用溝部を有し、かつ長手方向の両端部の端面板には長手方向の軸状突起を設けて回動自在に構成されており、
該スタンド枠は、
包丁の刀身の大半を収納し得る長さを有し、包丁の刀身を遊挿し得る間隙を有する上方を開口した横断面略Ｕ字形で、かつ、該Ｕ字形を構成する両側板の外側面に、前記レール枠に設けられた長手方向に直線状のレール用溝部に嵌入し、該レール用溝部内を走行し得る走行用突起を設け、
かつ、該スタンド枠の側板上縁には、該走行用突起を該レール枠のレール用溝部にガイドするための垂直方向の案内溝を有し、スタンド枠の走行用突起をレール枠側板のレール用溝部に嵌入し組み立てられていることを特徴とする包丁差し。
【請求項２】
スタンド枠をレール枠の長手方向の前後の一方の側に移動させたときに、スタンド枠の走行用突起に対応する位置に、レール枠の側板の上縁であって、長手方向の中心から等距離でかつスタンド枠の走行用突起に対応する位置に、包丁の柄の基部を支持する上向き突起を設け、該上向き突起の内面側に該走行用突起を挿入し案内する垂直方向の案内溝を設けたことを特徴とする請求項１に記載の包丁差し。
【請求項３】
該レール枠の長手方向の中心にスタンド枠の中心がくるように配置したときに、スタンド枠に設けた走行用突起の存在する位置に対応して、レール枠の両側板の上縁に包丁の柄の載置用の上方に突出した上向き突起が設けられており、
該レール枠内のスタンド枠を該レール枠の長手方向のいずれか一方の端部に片寄せて配置させることにより、包丁の刀身と柄の向きを長さ方向で変えることができるようにしたことを特徴とする請求項１もしくは２記載の包丁差し。
【請求項４】
前記レール枠を収納庫の取付枠に取り付ける際に、回動可能に設置し得る軸状突起の回動を一定の角度の範囲に規制するための規制片を、該レール枠の下面に設けたことを特徴とする請求項１,２もしくは３のいずれかに記載の包丁差し。
【考案の詳細な説明】
【技術分野】
【０００１】
この考案は、キッチンキャビネットにおけるシンクの前面壁の部分を利用した包丁差しに関する。
【背景技術】
【０００２】
従来コンロやシンクを備えたキッチンキャビネットについては、収納スペースを最大限確保するように様々な工夫がなされている。そして包丁の収納について考察するとたとえば、キッチンキャビネットの前面で開閉する大きな扉の裏面に包丁差しを設けたもの（特許文献１参照）、引き出し前板の裏面に斜めに包丁を差すようにしたもの（特許文献２参照）、シンク直下に引き出しが設けられ、この引き出しの前板裏面に斜めに包丁を差す包丁差しを設けたもの（特許文献３参照）が知られている。
【０００３】
また、包丁収納ユニットとして、キャビネット本体にカウンターを載置し、カウンターの前縁をキャビネットの本体から前方に突出するようにし、その下部の空所を利用して、前面の開口側の蓋体の開閉に応じて、上方に開口した収納容器を蓋体の回動で露出、収納するようにしたキッチンキャビネットが知られている（特許文献４参照）。さらに複数の包丁を並列に載置した状態の意匠が知られている。
【特許文献１】特開２００２-２３８７８５号
【特許文献２】特開２００２-３４４３８４号
【特許文献３】特開２００４-３１９４７６５号
【特許文献４】特開２００６-３３４２４９号
【特許文献５】意匠登録第１３２７７８９号
【考案の開示】
【考案が解決しようとする課題】
【０００４】
特許文献１の構造では、キッチンキャビネットの前面で開閉する大きな扉の裏面に包丁差しを設けているので、包丁を頻繁にかつ簡単に使用するためには、わざわざ大きな収納庫である扉を開閉するのは煩わしく、引き出し前板の裏面に引き出しを設けるのは、奥行きのない引き出しを設けることとなるため、コストをかける割に使い勝手が悪く、また、包丁収納ユニットとして、キャビネット本体にカウンターを載置し、カウンターの前縁をキャビネットの本体から前方に突出するようにし、その下部の空所を利用して、前面の開口側の蓋体の開閉に応じて、上方に開口した収納容器を蓋体の回動で露出、収納するようにしたキッチンキャビネットは一応の試みではあるものの、キャビネットより手前側に突出する部分があるために、キッチン全体として見ると、その個所を避けて作業する場合が多く使いづらい物である。特許文献５は構造的な部分は示されず不明である。
【０００５】
キッチンのシンクの前方の直下の僅かな空間を生かして、包丁を収納する形式のものがあり、大きな収納庫、引き出しを使用することなく、簡単に包丁を置くことができ、取り出しも容易なことから注目されている。
【０００６】
しかし、これまでの包丁差しは、該空間に設けた浅い矩形の収納体に前方に倒す扉を用い、扉の開放された収納体の底部に、２本の包丁を一列に並べて載置したものが知られている。ところが人間は右利きと左利きがあるため包丁の向きも、例えば右利きの場合、右側に包丁の柄が、左側に刀身が来るように包丁を置かなければ使いづらいし、左利きの場合はこの逆になる。従って一家に右利きと左利きの両方がいる場合、包丁を差した収納体全体を逆方向に向きを変えて収納し直さなければ、利き手に対応できないので、甚だ面倒であった。
【０００７】
また、従来の包丁を斜めに収納するものにあっては、それだけ縦方向の空間が大きくなるので、多くは扉の内面に包丁差しを設けているが、シンクの下部における収納部は小さいので、包丁の差し込み方向は一定で、左右の利き手に対応した処理は不可能である。
【課題を解決するための手段】
【０００８】
本考案は、上記の課題を解決するためになされたもので、シンクの前面における比較的小さい空間を利用した包丁差しであって、具体的には、扉を前方向に倒した場合に、扉の開に連動して、前方に若干外方向に出て露出される包丁載置部に載置される包丁差しの構造に関するものである。
【０００９】
請求項１の構造は、
キッチンのシンク前面における空間を利用した収納庫の取付枠に設けられる包丁差しであって、水平軸のまわりに上側から下側に向けてヒンジにより開閉する扉の開閉に応じて所定の角度で露出する包丁の取付枠内に、包丁がその峰を上側にして略水平になるように収納し得るような包丁差しにおいて、包丁全体を長手方向に収納することができ、かつ包丁の刀身部の大半を収納し得るスタンド枠を、長手方向に移動可能に内部に設置し得るレール枠とよりなり、
該レール枠は、包丁の全長を収納し得る長さを有する両側板と底板とでなり、上方を開口した横断面略Ｕ字形状で、該両側板には長手方向に直線状のレール用溝部を有し、かつ長手方向の両端部の端面板には長手方向の軸状突起を設けて回動自在に構成されており、
該スタンド枠は、包丁の刀身の大半を収納し得る長さを有し、包丁の刀身を遊挿し得る間隙を有する上方を開口した横断面略Ｕ字形で、かつ、該Ｕ字形を構成する両側板の外側面に、前記レール枠に設けられた長手方向に直線状のレール用溝部に嵌入し、該レール用溝部内を走行し得る走行用突起を設け、かつ、該スタンド枠の側板の上縁には、該走行用突起を該レール枠側板のレール用溝部にガイドするための垂直方向の案内溝を有し、スタンド枠の走行用突起をレール枠のレール用溝部に嵌入組み立てられたことを特徴とする包丁差しである。
【００１０】
請求項２の構造は、
スタンド枠をレール枠の長手方向の前後の一方の側に移動させたときに、スタンド枠の係止用突起に対応する位置に、レール枠の側板の上縁であって、長手方向の中心から等距離でかつスタンド枠の走行用突起に対応する位置に、包丁の柄の基部を支持する上向き突起を設け、該上向き突起の内面側に該走行用突起を挿入し、レール用溝部に至る間を案内する垂直方向の案内溝を設けたことを特徴とする請求項１に記載の包丁差しである。
【００１１】
請求項３の構造は、
該レール枠の長手方向の中心にスタンド枠の中心がくるように配置したときに、スタンド枠に設けた走行用突起の存在する位置に対応して、レール枠の両側板の上縁に包丁の柄の載置用の上方に突出した上向き突起が設けられており、
該レール枠内のスタンド枠を該レール枠の長手方向のいずれか一方の端部に片寄せて配置させることにより、包丁の刀身と柄の向きを長さ方向で変えることができるようにしたことを特徴とする請求項１もしくは２記載の包丁差しである。
【００１２】
請求項４の構造は、
前記レール枠を収納庫の取付枠に取り付ける際に、回動可能に設置し得る軸状突起の回動を一定の角度の範囲に規制するための規制片を、該レール枠の下面に設けたことを特徴とする請求項１,２,もしくは３のいずれかに記載の包丁差しである。
【考案の効果】
【００１３】
上述のように、本考案の包丁差しは、シンクの前壁を利用したものであるから、他のシンク下の大きな収納庫のように大きな扉を必要とせず、料理のために小物で頻繁に使用する刃物を容易に包丁差しに差して保管できることと、包丁のサイズに関係なく、右利き、左利きでも包丁差しのセット全体の方向を変えることなしに、スタンド枠の位置を人間の正面から見て左右すなわちレール枠中を長手方向のいずれかの端部側に、該スタンド枠を移動させるだけで、好ましい向きに対応した包丁差しを用意できるので、従来技術で行われている取付枠の包丁差し全体の向きを変えるような面倒なことはなくなり、誰でも随時実施できる点に効果がある。
【考案を実施するための最良の形態】
【００１４】
シンク前方に設けた蓋体をヒンジの作用で前倒しに開き、この動きに連動して該扉の下面に連接されている包丁差し支持体に載置されている包丁差しにより、包丁を有効に使用できるようにしたもので、レール枠内に移動可能なスタンド枠を設けることで、包丁の載置方向を変換できるようにした包丁差しである。以下図面を用い説明する。
【実施例】
【００１５】
本考案の実施態様である実施例は、以下に記すとおりである。
すなわち、スタンド枠２０は図１、図２に示すような構造であって、長手方向では、正面から見て、長方形で、横断面で見れば包丁の刀身を収納し得る間隙を有するように上方を開口した横断面ほぼＵ字形で、その側板２１の下部には後に示すレール枠３０のレール用溝部３３に嵌入する走行用突起２２が設けられている。なお、図３、図５、図６におけるレール枠の端面は、以下の図９、図１０、図１３でも同様であるが、内面側に窪みをつけてレール枠のあたる部分がその窪み内に入るようになっており、レール枠を固定する作用に寄与するが、この窪みは省略しても差し支えない。
【００１６】
又、レール枠３０は図３、図４に示すような構造であって、長手方向では図３から判るように包丁の全長を収納できるように長く、両端面板３７には回動可能な軸状突起３２が取り付けられている。３１はレール枠の側板で、長手方向に直線状のレール用溝部３３が設けられ、またこのレール枠の側板３１の上縁には包丁Ｋの柄を支持する上方に向けた上向き突起３５が２か所に設けられこれにはレール用溝部３３に接続する垂直の案内溝３４が内面に設けられている。両側の端面板の下面にはレール枠３０の回動を所望の範囲に規制するための規制片３６が設けられている。
【００１７】
スタンド枠２０とレール枠３０及び包丁の差し込み状態は、図５〜図８に右利き用の包丁の配置例で説明される。
【００１８】
これらは同一部分には同一符号が付されているので、重複した説明は省略説明しても理解されたい。
【００１９】
図５は図３に対応するレール枠３０にスタンド枠２０を装着した包丁差し１０を示しており、包丁Ｋの刀身は主としてスタンド枠２０の側板２１の内部側に略嵌挿されて左側にあり、図５ではスタンド枠の走行用突起２２がレール用溝部３３内に２か所で嵌入していることがわかる。包丁Ｋの柄の基部は、レール枠３０の側縁に設けられた上方に向けた突起３５で支持されている。
【００２０】
なお包丁は全体的に長手方向の左側に寄せて支持されているので右利きに有用である。
包丁Ｋの刀身とスタンド枠２０の関係及びレール枠との関係は図７及び図８から理解できるように、スタンド枠２０のＵ字状の側壁２１の中に上方の開口から嵌入挿入されている。なお、包丁の刀身の刃は下向きで、包丁が峰側を上にして置かれることは、説明するまでもなく、安全上当然である。
【００２１】
また、包丁の刀身は柄よりも通常は長いので、その基部をやや右にしてレール枠内に露出しても取扱上危険ではなく差し支えない。包丁の柄はレール枠の上縁の上向き突起３５により支持されるようになっているが、最も好ましい形態である、
又、スタンド枠２０とレール枠１０の関係は図で一目りょう然である。
【００２２】
図９、図１０、図１１、図１２は図５、図６、図７、図８に対応しており、前者が右利き、後者が左利きの場合でスタンド枠の位置を変えるだけで、包丁の向きが逆になることを説明している。詳細な符号は、同一部分には同じ符号が付されているので、重複しての説明はしてない。
【００２３】
図１３及び図１４はスタンド枠２０とレール枠３０との関係を理解するための包丁差し１０の説明図で、図ではレール枠３０の長手方向の中央とスタンド枠２０の長手方向のうち中央を一致させて配置した場合で、レール枠３０の側板の上縁に設けた上向き突起３５が対称的位置にあり、その内面に走行用突起の案内溝３４が設けられていること。及びこの案内溝３４を通じて走行用突起２２がレール用溝部３３の中に入り、スタンド枠２０が安定して支持され、かつレール用溝部３３内を走行用突起２２が走行することで、希望する位置にレール枠３０を誘導させられること、及びレール枠３０は４点支持であるから、ガタつかずに設定できることが理解されよう。このスタンド枠２０を移動させることは老若男女を通じて極めて容易で一家のうちに右利きと左利きがいても使い勝手の良い方を中央の向きを選択した包丁差し１０とすることができる。
【００２４】
このようにした本考案の包丁差し１０を２段にして小物入れCと一列にして取り付けたシンクの表面側の状態は図１５から理解される。
【００２５】
また、シンクの前面の扉を開いた状態の斜視図である図１６によれば、右利きの場合の包丁の配置例であるが、包丁差し１０、小物入れＣ、取付枠Ｆ、収納庫扉Ｄを含めた位置状態がよく理解されるであろう。
【００２６】
さらに図１７で示されているように、シンク前面に本考案の包丁差し１０を小物入れＣとセットにして取付枠Ｆに取り付けた斜視図から理解できるように、扉Ｄを開扉し、この扉Ｄをヒンジの作用で開扉するとアームＳの作用で、適宜保持されて、所定の角度で開扉することができる。
【００２７】
さらに、本考案の包丁差しをシンク前面に適用した場合の閉扉の状態は、図１８に、開扉の状態は、図１９に示す通りで、Ｄは扉、Ｆは取付枠、Ｈは扉の開閉用ヒンジで、包丁差し１０は端面板３７の軸状突起３２により回動し得るが、規制片３６により傾斜角を規制できるようになっている。このことは図１９の開扉状態において、包丁差し１０が適当な角度で傾斜し、取り出しが容易になっていることがわかる。
【００２８】
包丁Ｋの刀身とスタンド枠２０の関係は図から理解できるように、Ｕ字状のスタンド枠側板２１の中に上方の開口から嵌入挿入されている。なお、包丁の刃は下向きで、峰を上側に置かれることは、説明するまでもなく。安全上当然である。
【００２９】
また、包丁の刀身は柄よりも通常は長いので、スタンド枠よりはみ出しやや露出しているが、取扱上危険ではなく差し支えない。
【００３０】
レール枠３０は、図３及び図４に示すように、両側板３１と底板でなる横断面略Ｕ字状で、両端の端面は仕切板となる端面板３７を有し、端面板３７以外は上方に開口しかつ該両側板３１には収納すべき包丁Ｋの刀身を遊挿し得る間隙を有し、該両側板３１の両端の端面板３７には軸方向の突起３２を備えて、全体が軸の回動で傾きやすくなっている。
【００３１】
レール枠３０の軸方向の両側面には外側に長手方向に直線状のレール用溝３３を有しており、レール枠３０の中心長手方向から一定の比較的短い位置における側板３１に包丁の柄の支持用の上方に向けた上向き突起３５が設けられており、ここには、前記のレール用溝３３に上方から連通するスタンド枠２０の突起のガイド用溝３４が設けられている。
【００３２】
この溝は勿論他の個所でもよいが、スタンド枠２０をレール枠３０に組み合わせるために、この箇所にスタンド枠２０の上向き突起３５に案内溝３４を設けた方がレール枠３０の位置設定上わかりやすく、しかも組立作業も容易である。
【００３３】
なお、レール枠３０の長手方向の端部の下面に包丁差し全体の規制片３６を設けることにより、使用時の角度を作業上好ましい角度にすることができる。
【００３４】
スタンド枠２０とレール枠３０とを組み立てて、包丁Ｋの柄を正面から見て右手に配置した図５及びそのＡＡ線断面図である図７、ＢＢ線断面図である図８により説明する、図５における包丁Ｋはその柄を右に露出し、レール枠３０の上方への上向き突起３５で支持されている。
【００３５】
包丁の刀身は図の左側に配置されたスタンド枠２０の中に、すなわち、両側のスタンド枠側板２１の間に遊挿されている。スタンド枠の係止用突起２２は２個（両側では２対になる）設けられており、レール枠３０のレール用溝３３に挿入され、係止されている。図６は包丁を差した状態の正面図で、包丁の柄はレール枠の上方への上向き突起３５で支持されると共に、そこに走行用突起を挿入し下方におろしてガイドするために案内溝３４が設けられており、この部分を利用して、スタンド枠２０を、レール枠３０の上方から降下させるようにして組立できることが理解されよう。
【００３６】
なお、図５乃至図８からスタンド枠２０が相対的に高く、レール枠３０が相対的に短いことにより、組立が容易で、しかもスタンド枠２０はレール枠３０の長手方向の１／２以下であることにより包丁の刀身を保護し、かつ取扱者の安全を保障するものである。
【００３７】
図５のスタンド枠２０を左側に配した状態の包丁の載置状態から判るように、包丁Ｋの柄を適当な高さで支持し、その刀身を略水平になるように支持している。レール枠３０のレール枠側板３１長手方向両側端の下面には規制片３６が突出しており、支持体の取付位置を包丁の取付枠に嵌入して所定の位置で支持するように規制するものである。また両端部には包丁差し１０を取り付けて固定するための軸状突起３５を有しており、これにより、包丁差し１０を収納庫に固定することができるようになっている。
【００３８】
なおまた、上記図はいずれも包丁の柄が右差しの場合であるが、図９乃至図１２は、包丁の柄が左差しの場合を示し、同一部分には同一符号が示されているので、機能的には何ら変わりがないことが理解されるであろう。
【００３９】
図１３、図１４は一般的には包丁を差す前に、スタンド枠２０をレール枠３０の中央に配置し、スタンド枠２０の走行用突起２２も２対設けておき、レール枠３０に設けた２対の包丁の柄の支持用の上向き突起３５に設けた案内溝３４に走行用突起２２を挿入して、下端のレール用溝部３３に誘導嵌着すれば、容易に組み立てられ、後は前記のようにスタンド枠２０を左右のいずれかに移動させて、包丁を差せば、右利き、左利きに対応した包丁差し１０の状態となる。
【００４０】
図１５は、本考案の包丁差し１０を上下２段に各直列に２個組立て、その右端の余裕部に小物入れＣを設けた状態の説明図で、Ｆは取付枠を示している。
【００４１】
図１６はキッチンのシンク部分を含む取付枠Ｆと包丁差し１０と小物入れＣの収納庫Ｄにおける状態の斜視図でコンパクトに設置されていることがわかる。
【００４２】
上記の包丁差しの扉Ｄを開いて前方に傾斜させた状態で、図示してないヒンジの作用及び開閉アームＣにより容易に開閉できるものである。
【００４３】
図１８は閉扉の状態の断面図で、包丁差し１０は上下２段に設けられ、正面には扉Ｄが、その内側下端にはヒンジＨが包丁差しには軸状突起３２及び傾斜角の規制片３６が示されており、かつその背面に取付枠Ｆが示されている。
【００４４】
また、図１９は包丁差しの置かれた扉Ｄを若干開扉したときの状態が示されているが、図１８と同一部分には同一符号が付されているので、その動きは容易に理解できるであろう。
【００４５】
ただし、いずれも、ヒンジ機構及びこれにより扉を開閉するためのアームは省略されているが通常の扉の開閉に用いられるものを適宜採用することで、円滑な開閉がなさせることは当然である。
【図面の簡単な説明】
【００４６】
【図１】スタンド枠の正面片の側断面図。
【図２】スタンド枠の側面片側の断面図。
【図３】レール枠の正面の片側の断面図。
【図４】レール枠の側面の片側の断面図。
【図５】スタンド枠を左側に配置した状態の正面図。
【図６】スタンド枠を左側に配置した状態の縦断面図。
【図７】スタンド枠を左側に配置した状態のＡ−Ａ線断面図。
【図８】スタンド枠を左側に配置した状態のＢ−Ｂ線断面図。
【図９】スタンド枠を右側に配置した状態の正面図。
【図１０】スタンド枠を左側に配置した状態の縦断面図。
【図１１】スタンド枠を右側に配置した状態のＣ−Ｃ線断面図。
【図１２】スタンド枠を右側に配置した状態のＤ−Ｄ線断面図。
【図１３】スタンド枠を中央に配置した状態の正面図。
【図１４】スタンド枠を中央に配置した状態のＥ−Ｅ線断面図。
【図１５】取付枠と取付状態の一例を示す正面図。
【図１６】本考案の適用例をキッチンのシンク部分の閉扉の状態を扉を除いて内部構造を仮想状態で示す一例の斜視図。
【図１７】本考案の適用例のキッチンのシンク部分の開扉の状態の一例の断面図。
【図１８】本考案の適用例を示す閉扉状態の一例の断面図。
【図１９】本考案の適用例を示す開扉状態の一例の斜視図。
【符号の説明】
【００４７】
１０  包丁差し
２０  スタンド枠
２１  スタンド枠側板
２２  走行用突起
３０  レール枠
３１  レール枠側板
３２  軸状突起
３３  レール用溝部
３４  案内溝
３５  上向き突起
３６  規制片
３７  端面板
Ｋ  包丁
Ｆ  取付枠
Ｄ  収納庫扉
Ｃ  小物入れ
Ｓ  アーム
Ｈ  ヒンジ
【図１】
0003148112.tif 000003
【図２】
0003148112.tif 000004
【図３】
0003148112.tif 000005
【図４】
0003148112.tif 000006
【図５】
0003148112.tif 000007
【図６】
0003148112.tif 000008
【図７】
0003148112.tif 000009
【図８】
0003148112.tif 000010
【図９】
0003148112.tif 000011
【図１０】
0003148112.tif 000012
【図１１】
0003148112.tif 000013
【図１２】
0003148112.tif 000014
【図１３】
0003148112.tif 000015
【図１４】
0003148112.tif 000016
【図１５】
0003148112.tif 000017
【図１６】
0003148112.tif 000018
【図１７】
0003148112.tif 000019
【図１８】
0003148112.tif 000020
【図１９】
0003148112.tif 000021